(57)【要約】【課題】反射部の熱を効率的に放熱することができる照明装置及びそれを備えたカメラを提供する。【解決手段】キセノン管１１の閃光を反射する反射笠１２の開口部１２ａの長辺縁部にフランジ部１２ｄを設け、フランジ部１２ｄと放熱板１３とを面接触させることにより、反射笠１２と放熱板１３とを接続し、キセノン管１１の閃光時の発熱にともなう反射笠１２の熱を、放熱板１３に効率よく伝達し、放熱板１３の表面から放熱させて、反射笠１２の温度上昇を抑える。【選択図】図２
2008033143.tif 000002
【特許請求の範囲】
【請求項１】
光を発する照明部と、
前記照明部が発光した光を、所定の方向に向けて反射する反射部と、
前記反射部に接触し、前記照明部の発熱による前記反射部の熱を放熱する放熱部と、
を備える照明装置。
【請求項２】
請求項１に記載の照明装置において、
前記照明部は、閃光を発する閃光部であること、
を特徴とする照明装置。
【請求項３】
請求項１又は請求項２に記載の照明装置において、
前記反射部と前記放熱部とは、面接触していること、
を特徴とする照明装置。
【請求項４】
請求項１から請求項３までのいずれか１項に記載の照明装置において、
前記反射部と前記放熱部との接触面の面積は、前記反射部の前記開口部の面積の１０％以上であること、
を特徴とする照明装置。
【請求項５】
請求項３又は請求項４に記載の照明装置において、
前記反射部は、矩形の開口部と、前記開口部の長辺縁部に設けられ、前記放熱部に前記面接触をする伝達用フランジ部とを有すること、
を特徴とする照明装置。
【請求項６】
請求項１から請求項５までのいずれか１項に記載の照明装置において、
前記反射部と前記放熱部とは、一体で形成されていること、
を特徴とする照明装置。
【請求項７】
請求項６に記載の照明装置において、
前記放熱部は、前記反射部の開口縁部に設けられた放熱用フランジ部であること、
を特徴とする照明装置。
【請求項８】
請求項１から請求項７までのいずれか１項に記載の照明装置において、
前記放熱部の熱を前記照明装置の外郭部材及び／又は前面透過板に伝達する伝達部を備えること、
を特徴とする照明装置。
【請求項９】
請求項１から請求項８までのいずれか１項に記載の照明装置において、
前記放熱部は、放熱面積を大きくする波状部を備えること、
を特徴とする照明装置。
【請求項１０】
請求項１から請求項９までのいずれか１項に記載の照明装置において、
前記放熱部は、前記反射部の前記開口部の外周を覆う化粧部を兼用すること、
を特徴とする照明装置。
【請求項１１】
請求項１から請求項１０までのいずれか１項に記載の照明装置を備えるカメラ。
【発明の詳細な説明】
【技術分野】
【０００１】
本発明は、照明部の光を反射する反射部を備えた照明装置及びそれを備えたカメラに関するものである。
【背景技術】
【０００２】
従来から、カメラの閃光装置には、発光部の閃光を、被写体に向けて効率よく反射するために、反射笠が設けられている（例えば、特許文献１）。また、近年普及しているデジタルカメラは、フィルムを交換する必要がないため、閃光装置が連続発光されることが多い。
【特許文献１】特開２０００−１８０９２６号公報
【発明の開示】
【発明が解決しようとする課題】
【０００３】
しかし、閃光装置は、発光により反射笠が熱せられるので、ケースや電気部品の耐熱温度の問題から、連続発光の回数に限度があった。
本発明の課題は、反射部の熱を効率的に放熱することができる照明装置及びそれを備えたカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、光を発する照明部（１１）と、前記照明部（１１）が発光した光を、所定の方向（Ｙ１）に向けて反射する反射部（１２，３１２）と、前記反射部（１２，３１２）に接触し、前記照明部（１１）の発熱による前記反射部（１２，３１２）の熱を放熱する放熱部（１３，２１３，３１２ｂ〜３１２ｇ）と、を備える照明装置である。
【０００５】
請求項２の発明は、請求項１に記載の照明装置において、前記照明部（１１）は、閃光を発する閃光部（１１）であること、を特徴とする照明装置である。
請求項３の発明は、請求項１又は請求項２に記載の照明装置において、前記反射部（１２，３１２）と前記放熱部（１３，２１３）とは、面接触により接続されていること、を特徴とする照明装置である。
請求項４の発明は、請求項１から請求項３までのいずれか１項に記載の照明装置において、前記反射部と前記放熱部との接触面の面積は、前記反射部の前記開口部の面積の１０％以上であること、を特徴とする照明装置である。
請求項５の発明は、請求項３又は請求項４に記載の照明装置において、前記反射部（１２）は、矩形の開口部（１２ａ，３１２ａ）と、前記開口部（１２ａ，３１２ａ）の長辺縁部に設けられ、前記放熱部（１３，２１３）に前記面接触をする伝達用フランジ部（１２ｄ）とを有すること、を特徴とする照明装置である。
請求項６の発明は、請求項１から請求項５までのいずれか１項に記載の照明装置において、前記反射部（３１２）と前記放熱部（３１２ｂ〜３１２ｇ）とは、一体で形成されていること、を特徴とする照明装置である。
請求項７の発明は、請求項６に記載の照明装置において、前記放熱部（３１２ｂ〜３１２ｇ）は、前記反射部（３１２）の開口縁部に設けられた放熱用フランジ部（３１２ｂ〜３１２ｇ）であること、を特徴とする照明装置である。
請求項８の発明は、請求項１から請求項７までのいずれか１項に記載の照明装置において、前記放熱部（１３Ｂ）の熱を前記照明装置の外郭部材（１６）及び／又は前面透過板（１５）に伝達する伝達部を備えること、を特徴とする照明装置である。
請求項９の発明は、請求項１から請求項８までのいずれか１項に記載の照明装置において、前記放熱部（２１３）は、放熱面積を大きくする波状部（２１３ｇ）を備えること、を特徴とする照明装置である。
請求項１０の発明は、請求項１から請求項９までのいずれか１項に記載の照明装置において、前記放熱部（１３，２１３，３１２ｂ〜３１２ｇ）は、前記反射部（１２，３１２）の前記開口部（１２ａ，３１２ａ）の外周を覆う化粧部（１３，２１３，３１２ｂ〜３１２ｇ）を兼用すること、を特徴とする照明装置である。
【０００６】
請求項１１の発明は、請求項１から請求項１０までのいずれか１項に記載の照明装置（１，３０１）を備えるカメラである。
【発明の効果】
【０００７】
本発明は、反射部の熱を効率的に放熱し、部品の温度上昇を抑えることができる。
【発明を実施するための最良の形態】
【０００８】
以下、図面等を参照して、本発明の実施形態をあげて、さらに詳しく説明する。
［第１実施形態］
図１は、本発明を適用した第１実施形態の照明装置１の内部構造を分解して示す斜視図である。図２（ａ）は、照明装置１の断面図であり、図２（ｂ）は、その構造を一部変更した一部断面図である。
照明装置１は、例えば、一眼レフカメラ等に着脱可能に装着される閃光装置である。図１、図２（ａ）に示すように、照明装置１は、キセノン管１１と、反射笠１２と、放熱板１３と、反射笠ホルダー１４と、前面透過板１５と、ケース１６とを備えている。
キセノン管１１は、閃光を発する照明部であり、その形状は、照明装置１の左右方向（図１に示す矢印Ｘ方向）に長い棒状である。キセノン管１１は、充電したコンデンサ（図示せず）の電気を放電することにより発光するキセノン放電発光管であり、このとき、数百Ｖ以上の電圧が印加され、これにともない、その表面温度が上昇する。
【０００９】
反射笠１２は、キセノン管１１の閃光を、前側（図１に示す矢印Ｙ１方向）に反射させる反射部であり、前側に矩形の開口部１２ａを有している。反射笠１２は、キセノン管１１の発熱に耐えるために、金属（例えば、アルミニウム等）の板材を、プレス成形等して作製される。反射笠１２は、キセノン管１１の後側に曲線部１２ｂと、左右に側壁１２ｃと、上下にフランジ部１２ｄとを有している。
曲線部１２ｂは、図２（ａ）に示すように、その内側に配置されたキセノン管１１が発した閃光を前側に反射するために、その断面形状が曲線になっている。
側壁１２ｃは、図１に示すように、曲線部１２ｂの左右の端部から内側に突出するように設けられている。
フランジ部１２ｄは、図１に示すように、開口部１２ａの上下（矢印Ｚ方向）の長辺縁部から、外側に突出したフランジ状の部分である。図２（ａ）に示すように、フランジ部１２ｄは、その前面１２ｅと放熱板１３の裏面１３ｂとを面接触させて、反射笠１２と放熱板１３とを接続する接続用フランジ部である。フランジ部１２ｄは、反射笠１２の熱を放熱板１３に効率よく伝達するために、開口部１２ａの長辺縁部に設けられ、反射笠１２と放熱板１３との接触面積を大きくしている。
【００１０】
放熱板１３は、キセノン管１１の発熱による反射笠１２の熱を放熱するための放熱部であり、熱伝導率の高い材料（例えば、ステンレス等）の板材を、プレス成形等して作製される。図１に示すように、放熱板１３は、キセノン管１１の閃光を通過させるための矩形の開口部１３ａを有し、また、反射笠１２の開口部１２ａの外周を覆うように配置されている。これにより、放熱板１３は、照明装置１の開口部１２ａよりも外側の部分（例えば、フランジ部１２ｄ、内部の電気部品等）が、外部から見えないように、目隠しをすることができる。このように、照明装置１は、放熱板１３を、化粧板として兼用することにより、部品点数、コスト、組み立て工数の増加を抑えることができる。なお、放熱効率を考慮すると、放熱板１３と反射笠１２との接触面の面積は、反射笠１２の開口部１２ａの面積の１０％以上であることが望ましい。
【００１１】
前面透過板１５は、図２（ａ）に示すように、照明装置１の前面を覆って、キセノン管１１、反射笠１２等を保護するための板材であり、キセノン管１１の光を透過させるために、透明な材料（例えば、アクリル樹脂等）から形成される。
【００１２】
反射笠ホルダー１４は、図２（ａ）に示すように、反射笠１２を保持するための箱状の部材である。反射笠ホルダー１４は、例えば、ネジ止め等によって、ケース１６に保持されている。反射笠ホルダー１４は、例えば、ＰＣ（ポリカーボネイト）等の樹脂から形成されている。
ケース１６は、図２（ａ）に示すように、その断面形状がコの字形の照明装置１の外郭部材であり、反射笠１２等の機構部品の他に、電気部品（コンデンサ、ケーブル等）等を収容している。ケース１の開口部には、前面透過板１５が取り付けられている。ケース１６は、例えば、ＡＢＳ等の樹脂から形成される。
【００１３】
次に、照明装置１の放熱について説明する。
照明装置１が、例えば、装着されたカメラ（図示せず）のレリーズスイッチが操作されると、キセノン管１１は、カメラの動作に同調して、閃光を発する。キセノン管１１は、発光にともなって発熱し、反射笠１２が熱せられる。反射笠１２の熱は、フランジ部１２ｄを介して、放熱板１３に効率よく伝達され、最終的に放熱板１３の前面１３ｃから放熱される。このように、照明装置１は、キセノン管１１の発光にともなう熱を、放熱板１３の表面から放熱し、反射笠１２の温度上昇を抑えることができる。
【００１４】
一般に、照明装置１が発光されると、キセノン管１１の表面温度は、２００℃以上にまで上昇する。照明装置１が連続発光されると、樹脂製の部品（例えば、反射笠ホルダー１４、前面透過板１５等）や電気部品は、冷却時間が与えられないために、順次、温度が上昇する。このため、これらの部品の耐熱温度から、照明装置１の連続発光の回数には、限度があった。
一方、照明装置１は、放熱板１３が反射笠ホルダー１４の熱を放熱し、これらの部品の温度上昇を抑えることができるので、連続発光（例えば、５０回以上）が可能となる。
【００１５】
なお、図２（ｂ）に示すように、照明装置１は、伝達部１３ｅを設け、放熱板１３Ｂと前面透過板１５及びケース１６とを接触させてもよい。この場合、反射笠ホルダー１４の熱は、前面透過板１５及びケース１６に伝達され、最終的に照明装置１の外部に放出される。これにより、ケース１６の内部に熱がこもらないので、照明装置１は、より効率的に反射笠ホルダー１４の温度上昇を抑えることができる。
【００１６】
以上説明したように、本実施形態の照明装置１は、以下の効果を得ることができる。
（１）照明装置１は、放熱板１３が反射笠１２の熱を放熱するため、キセノン管１１の発光にともなう樹脂部品、電気部品の温度上昇を抑え、連続発光をすることができる。
（２）照明装置１は、反射笠１２と放熱板１３とが面接触するので、反射笠１２の熱を、効率的に放熱板１３に伝達することができる。また、フランジ部１２ｄは、開口部１２ａの長辺縁部に設けられているため、放熱板１３との接触面積を大きくすることができるので、反射笠１２の熱を、より効率的に放熱板１３に伝達することができる。
（３）照明装置１は、放熱板１３が化粧板を兼用するので、部品点数、コスト、工数の増加を抑えることができる。
【００１７】
［第２実施形態］
次に、本発明を適用した照明装置の第２実施形態について説明する。
図３は、本実施形態の照明装置の放熱板２１３の斜視図である。
図３に示すように、放熱板２１３は、反射笠に接触する接触部２１３ｆ以外の部分が、波状の断面形状をした波状部２１３ｇである。これにより、放熱板２１３は、放熱面積を大きくするこができるので、反射笠から伝達された熱を、効率よく放熱することができる。
【００１８】
以上説明したように、本実施形態の照明装置は、放熱板２１３の放熱面積を大きくすることができるので、反射笠の温度上昇を抑えることができる。
【００１９】
［第３実施形態］
次に、本発明を適用した照明装置の第３実施形態について説明する。
なお、以下の説明において、前述した第１実施形態と同様の機能を果たす部分には、同一の符号又は末尾に同一の符号を付して、重複する説明や図面を適宜省略する。
図４は、第３実施形態の照明装置３０１の内部構造の斜視図である。
図４に示すように、照明装置３０１は、放熱板を用いる代わりに、反射笠３１２の開口３１２ａの全ての縁部に、放熱部として放熱用フランジ部３１２ｂ〜３１２ｇを設けたものである。放熱用フランジ部３１２ｂ〜３１２ｇは、プレス成形等により、反射笠３１２に一体で形成されている。
これにより、反射笠３１２の熱は、放熱用フランジ部３１２ｂ〜３１２ｇに、熱伝導により伝えられる。このため、反射笠３１２と放熱用フランジ部３１２ｂ〜３１２ｇとの間の熱の伝達ロスがないので、照明装置３０１は、反射笠３１２の温度上昇を、さらに効率よく抑えることができる。また、放熱板を別途用意する必要がないので、部品点数、コスト、工数の削減をすることができる。
【００２０】
以上説明したように、本実施形態の照明装置３０１は、反射笠３１２の温度上昇を、さらに効率よく抑え、また、コスト削減、組み立て工数の削減をすることができる。
【００２１】
［第４実施形態］
次に、本発明を適用した照明装置の第４実施形態について説明する。
図５は、本実施形態の照明装置の放熱板４１３の斜視図である。
図５に示すように、放熱板４１３は、全周の縁部から、後側（矢印Ｙ２方向）に向けて、つば４１３ｂ〜４１３ｅが設けられている。
これにより、本実施形態の照明装置は、放熱板４１３の放熱面積をより大きくできるので、放熱効率を向上することができる。
【００２２】
［第５実施形態］
次に、本発明を適用した照明装置の第５実施形態について説明する。
図６は、本実施形態の照明装置の放熱板５１３の斜視図である。
図６に示すように、放熱板５１３は、第４実施形態のつば４１３ｂ，４１３ｄを、その断面形状が波状である波状部５１３ｂ，５１３ｄに変更したものである。
これにより、本実施形態の照明装置は、放熱板５１３が放熱面積をさらに大きくすることができる。
【００２３】
（変形形態）
以上説明した実施形態に限定されることなく、種々の変形や変更が可能である。
（１）各実施形態において、照明装置は、キセノン管を用いた閃光装置である例を示したが、これに限定されない。例えば、照明装置は、ＬＥＤ等を用いて、長時間、被写体等を照光するものでもよい。これにより、ビデオカメラ等の照明装置に用いることができる。
【００２４】
（２）各実施形態において、照明装置は、一眼レフカメラに着脱可能に装着される例を示したが、これに限定されない。例えば、照明装置は、一眼レフカメラ、コンパクトカメラに内蔵されるものでもよい。
【図面の簡単な説明】
【００２５】
【図１】本発明を適用した照明装置の第１実施形態の内部構造を分解して示す斜視図である。
【図２】第１実施形態の照明装置の断面図及び、構造を一部変更した一部断面図である。
【図３】本発明を適用した照明装置の第２実施形態の放熱板の斜視図である。
【図４】本発明を適用した照明装置の第３実施形態の照明装置の内部構造の斜視図である。
【図５】本発明を適用した照明装置の第４実施形態の放熱板の斜視図である。
【図６】本発明を適用した照明装置の第５実施形態の放熱板の斜視図である。
【符号の説明】
【００２６】
１，３０１：照明装置、１１：キセノン管、１２，３１２：反射笠、１２ｄ：フランジ部、１３，２１３，４１３，５１３：放熱板、１４：反射笠ホルダー、１５：前面透過板、１６：ケース、２１２ｇ，５１３ｂ，５１３ｄ：波状部、３１２ｂ〜３１２ｇ：放熱用フランジ部
【図１】
2008033143.tif 000003
【図２】
2008033143.tif 000004
【図３】
2008033143.tif 000005
【図４】
2008033143.tif 000006
【図５】
2008033143.tif 000007
【図６】
2008033143.tif 000008